Podtech/llm-jp-corpus-v4-ja_patent huggingface dataset:
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
流体送達装置用のシリンジ遮蔽システムであって、
前記流体送達装置に取り付けられるカラーシリンジ遮蔽体支持構造と、
遮断材料、ならびに排出端部孔およびプランジャ端部孔を備えるシリンジに対応するように構成されたシリンジ穴を有する遮蔽パネルと、
前記遮蔽パネルを収容するスリーブであって、前記カラーシリンジ遮蔽体支持構造に結合される、スリーブと、を含む、システム。
【請求項２】
前記スリーブが、第２の部分に結合された第１の部分を備え、前記第１の部分および前記第２の部分の少なくとも一方が、前記カラーシリンジ遮蔽体支持構造に結合される、請求項１に記載のシステム。
【請求項３】
前記スリーブが、準備位置と保存位置との間で移動するように構成されている、請求項１に記載のシステム。
【請求項４】
前記スリーブが、前記カラーシリンジ遮蔽体支持構造に可逆的に結合される、請求項１に記載のシステム。
【請求項５】
前記遮蔽パネルが、シリンジの形状およびサイズに適合した直径を有する穴を備える、請求項１に記載のシステム。
【請求項６】
前記スリーブが、前部カバーおよび後部カバーの少なくとも一方を備え、前記前部カバーが、少なくとも前記スリーブの前端部を遮蔽するように適合され、前記後部カバーが、前記スリーブの後端部を遮蔽するように適合され、前記前部カバーおよび前記後部カバーの少なくとも一方が、前記スリーブに取り付けられる、請求項１に記載のシステム。
【請求項７】
前記前部カバーおよび前記後部カバーの少なくとも一方が、前記スリーブに取り外し可能に取り付けられる、請求項６に記載のシステム。
【請求項８】
前記前部カバーが、シリンジの排出端部に一致するように構成された穴を有する、請求項６に記載のシステム。
【請求項９】
前記カラーシリンジ遮蔽体支持構造が、前記流体送達装置に取り付けるように構成されたカラーマウントを備える、請求項１に記載のシステム。
【請求項１０】
前記カラーシリンジ遮蔽体支持構造が、前記流体送達装置にアダプタとして取り外し可能に取り付け可能である、請求項１に記載のシステム。
【請求項１１】
前記カラーシリンジ遮蔽体支持構造が、少なくとも１つのオリフィスを備え、前記流体送達装置の作動装置が、前記少なくとも１つのオリフィスを通過してシリンジに接触することができる、請求項１に記載のシステム。
【請求項１２】
前記遮蔽パネルが、前記スリーブと一体である、請求項１に記載のシステム。
【請求項１３】
前記遮蔽パネルが、複数の部分を備える、請求項１に記載のシステム。
【請求項１４】
前記シリンジ穴の排出端部孔が、前記プランジャ端部孔よりも直径が小さく、前記排出端部孔が、前記シリンジの排出端部に一致するように設計されている、請求項１に記載のシステム。
【請求項１５】
前記遮断材料が、放射性放射遮断材料、光遮断材料、およびこれらの任意の組み合わせからなる群から選択される、請求項１に記載のシステム。
【請求項１６】
流体送達装置用のシリンジ遮蔽システムであって、
前記流体送達装置に取り付けるように構成されたシリンジマウントと、
少なくとも遮断材料を含み、かつ排出端部孔およびプランジャ端部孔を有するシリンジに一致するように構成されたシリンジ穴を有する遮蔽パネルと、
前記遮蔽パネルを収容し、かつ前記シリンジマウントに結合されたスリーブアタッチメントを有するスリーブと、を含む、システム。
【請求項１７】
前記スリーブが、第２の部分に結合された第１の部分を備え、前記スリーブアタッチメントが、前記第１の部分および前記第２の部分の少なくとも一方に結合される、請求項１６に記載のシステム。
【請求項１８】
前記第１の部分および前記第２の部分の一方が、前記第１の部分および前記第２の部分の他方に取り外し可能に取り付け可能である、請求項１６に記載のシステム。
【請求項１９】
前記スリーブアタッチメントが、フランジおよび溝の一方である、請求項１６に記載のシステム。
【請求項２０】
前記遮蔽パネルが、複数の部分を備える、請求項１６に記載のシステム。
【請求項２１】
前記スリーブが、前記遮蔽パネルの排出端部に取り付けられた前側アクセス部を備え、前記前側アクセス部が、遮断材料を含み、かつ前記シリンジの排出端部を受容するように構成された長手方向軸穴を有する、請求項１６に記載のシステム。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
近位端及び遠位端を有する最小侵襲性の医療器具であって、前記医療器具の遠位端に配されるセンサ装置を有し、前記センサ装置が、
電気センサ信号の形でセンサデータを生成するセンサと、
前記電気センサ信号を光学信号に変換するデータ変換装置であって、前記電気センサ信号を受け取る電気入力部及び前記光学信号を送信する光出力部を有するデータ変換装置と、
前記遠位端から前記近位端へ前記光学信号を送信する光ファイバであって、前記光学信号を受け取るために前記データ変換装置の出力部に結合され、前記医療器具の前記遠位端から前記近位端まで延在する光ファイバと、
を有し、前記医療器具が、細長いガイドワイヤコアを有するガイドワイヤであり、前記光ファイバが前記ガイドワイヤコアを形成する、医療器具。
【請求項２】
前記センサ装置が、第１の基板表面及び第２の基板表面をもつ基板を有し、前記データ変換装置が前記第１の基板表面に配される、請求項１に記載の医療器具。
【請求項３】
前記光ファイバが、前記基板の孔に配され、前記孔は、前記第２の基板表面から前記第１の基板表面に向かって延在する、請求項２に記載の医療器具。
【請求項４】
前記基板は、特にシリコンで作られたベース層と、前記ベース層上の、特に酸化シリコンで作られた少なくとも１つの絶縁層と、を有し、前記絶縁層は、少なくとも前記第１の基板表面を形成する、請求項２に記載の医療器具。
【請求項５】
前記孔は、前記第１の基板表面を形成する絶縁層のところで終端する、請求項３又は４に記載の医療器具。
【請求項６】
前記光ファイバが前記基板に固定的に接続される、請求項２に記載の医療器具。
【請求項７】
前記センサ装置が、前記医療器具の前記遠位端から前記近位端まで延在する電気ワイヤを更に有する、請求項１又は２に記載の医療器具。
【請求項８】
前記電気ワイヤが、前記第１の基板表面から前記第２の基板表面まで延在する前記基板内のスルーホールを通じて配される、請求項２を引用する請求項７に記載の医療器具。
【請求項９】
前記センサが第２の基板に配置され、前記第２の基板は、前記医療器具の長さ方向において、前記データ変換装置が配される基板より上又は下に位置付けられる、請求項２に記載の医療器具。
【請求項１０】
前記センサ装置が、前記電気センサ信号を前処理する前処理電子回路を有し、前記前処理電子回路が、前記電気センサ信号を受け取る入力部と、前処理された電気センサ信号を前記データ変換装置に送信する出力部と、を有する、請求項１又は２に記載の医療器具。
【請求項１１】
前記前処理電子回路が第３の基板に配され、前記第３の基板は、前記医療器具の長さ方向において、前記データ変換装置が配される基板より上又は下に位置付けられる、請求項２を引用する請求項１０に記載の医療器具。
【請求項１２】
前記データ変換装置が、垂直共振器面発光レーザ（ＶＣＳＥＬ）、発光ダイオード（ＬＥＤ）又はダイナミックミラー装置（ＤＭＤ）である、請求項１に記載の医療器具。
【請求項１３】
前記データ変換装置が更に、光学信号を電気信号に変換するように構成される、請求項１に記載の医療器具。
【請求項１４】
近位端及び遠位端を有する最小侵襲性の医療器具を製造する方法であって、センサ装置を製造するステップを含み、前記センサ装置を製造するステップが、
電気センサ信号の形でセンサデータを生成するセンサを提供するステップと、
電気センサ信号を光学信号に変換するデータ変換装置であって、電気センサ信号を受け取る電気入力部及び光学信号を送信する光出力を有するデータ変換装置を提供するステップと、
前記遠位端から前記近位端まで光学信号を送信する光ファイバを提供するステップと、
光学信号を受け取るために、前記光ファイバを前記データ変換装置の出力部に結合するステップと、
を含み、前記方法が更に、
前記光ファイバが前記医療器具の前記遠位端から前記近位端まで延在するように及び前記光ファイバが前記医療器具のガイドワイヤコアを形成するように、前記センサ装置を前記医療器具の前記遠位端に配するステップ
を含む、方法。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
流動性の集塊状栄養培地を作製するための方法であって、
微生物の増殖を促進する栄養成分を含む粉末状栄養分を流動層式集塊チャンバに配置することと、流動化ガスをチャンバに貫流することと、前記集塊チャンバ内で、前記粉末状栄養分を集塊液のエアゾールスプレーと接触させることと、により栄養培地組成物を生成する工程、及び
前記チャンバから前記組成物を回収する工程、を含み、
前記組成物は、集塊状栄養培地の粒子群と、任意選択的に、非集塊状粉末状栄養分を含み、
前記粒子群は、約２５０〜４００ミクロンの有効粒子径を有する少なくとも約３０重量％の集塊状栄養粒子を含む、方法。
【請求項２】
水性媒質と組み合わせた場合に微生物の増殖を促進する混合物を形成する集塊状粒子を含む集塊状栄養培地を含む組成物であって、
前記粒子のうち少なくとも約３０重量％の粒子は、約２５０〜４００ミクロンの有効粒子径を有し、
前記粒子のかさ密度は、１立方ｃｍ当たり約０．２〜約０．５ｇである、組成物。
【請求項３】
カプセル剤、錠剤、サシェ及び／又は請求項２に記載の組成物を含むキットであって、
前記カプセル剤、錠剤及びサシェは、請求項２に記載の組成物を含有する、キット。
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
低酸素誘導因子（ＨＩＦ）応答性プロモーターの制御下に組み込まれたレポーター遺伝子を有する遺伝子コンストラクトであって、前記ＨＩＦ応答性プロモーターが、ヒトエリスロポエチン（ＥＰＯ）遺伝子に由来する４つの低酸素応答エレメント（ＨＲＥ）を含む、前記遺伝子コンストラクト。
【請求項２】
プロモーターが、タンデムリピートで、４つのＨＲＥを含む、請求項１に記載の遺伝子コンストラクト。
【請求項３】
レポーター遺伝子が、蛍光タンパク質のルシフェラーゼ、または、化学反応を触媒する酵素から選択される、請求項１または２に記載の遺伝子コンストラクト。
【請求項４】
コンストラクトが、ＨＲＥとして、ヒトＥＰＯ中に見出されるＨＲＥ配列を含む、請求項１〜３のいずれか一項に記載の遺伝子コンストラクト。
【請求項５】
請求項１〜４のいずれか一項に記載の遺伝子コンストラクトを含む、ベクター。
【請求項６】
請求項１〜４のいずれか一項に記載の遺伝子コンストラクトまたは請求項５に記載のベクターを含む細胞株。
【請求項７】
遺伝子コンストラクトが安定的に組み込まれた、請求項６に記載の細胞株。
【請求項８】
細胞株が、骨肉腫細胞株である、請求項６または７に記載の細胞株。
【請求項９】
細胞においてＨＩＦ応答をアッセイするための方法であって、
ａ．請求項１〜４のいずれか一項に記載の遺伝子コンストラクトを前記細胞中に導入する、
ｂ．前記細胞を低酸素圧でインキュベートする、
ｃ．任意に、対照細胞を正常酸素圧でインキュベートする、
ｄ．ここで、レポーター遺伝子発現が、前記細胞におけるＨＩＦ応答に対応する、
ステップを含む、前記方法。
【請求項１０】
細胞が、骨肉腫細胞である、請求項９に記載の方法。
【請求項１１】
遺伝子コンストラクトが、細胞内に、形質導入またはトランスフェクトされる、請求項９または１０に記載の方法。
【請求項１２】
低酸素が、０と５％Ｏ２との間である、請求項９〜１１のいずれか一項に記載の方法。
【請求項１３】
正常酸素が、５と２１％Ｏ２との間ある、請求項９〜１２のいずれか一項に記載の方法。
【請求項１４】
ＨＩＦ応答の調節因子を同定するためのスクリーニング方法であって、請求項９〜１３のいずれか一項に記載の方法を実施すること、および、細胞を、ＨＩＦシグナリングの調節因子であることが疑われる化合物に接触させることを含み、未処置対照と比較したレポーター遺伝子発現の増加が、前記化合物がＨＩＦ応答のアゴニストであることを示し、未処置対照と比較したレポーター遺伝子発現の減少が、前記化合物がＨＩＦ応答のアンタゴニストであることを示す、前記方法。
【請求項１５】
請求項１４に記載の方法により得られる低酸素応答を調節する化合物。
【請求項１６】
細胞においてＨＩＦ応答を試験するためのキットであって、任意にＨＩＦ応答試験を実施するための取扱説明書ならびに／または緩衝液および溶液とともに、請求項１〜４のいずれか一項に記載の遺伝子コンストラクト、または、請求項５に記載のベクター、または、請求項６〜８のいずれか一項に記載の細胞を含む、前記キット。
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
植込み型医療装置であって、
ハウジングと、
前記ハウジングに含まれている集積回路とを備え、
前記集積回路は、静電気放電（ＥＳＤ）保護回路を含み、
前記静電気放電（ＥＳＤ）保護回路は、
制御入力を介して受信した制御信号に応答して、第１電源ノードを第２電源ノードに選択的に電気結合するように構成されている能動回路と、
前記第１電源ノードと前記能動回路の前記制御入力との間に電気結合されている第１受動回路と、
前記第２電源ノードと前記能動回路の前記制御入力との間に電気結合されている第２受動回路とを含み、
前記第１または第２の受動回路のうちの少なくとも１つは、直列構成、並列構成、または直列および並列構成の組合せのコンデンサのアレイを含み、
前記第１および第２の受動回路は、特定の時定数を規定するように構成され、
前記第１および第２の受動回路は、印加されるＥＳＤに応答して前記特定の時定数を使用して前記制御信号を前記制御入力に供給するように構成され、
前記能動回路は、前記制御信号に応答して実質的に非導通モードから実質的に導通モードへと切り替えて、前記第１および第２の電源ノード間に印加されるＥＳＤの分路を提供するように構成されている、植込み型医療装置。
【請求項２】
前記第１受動回路は、直列および並列構成のコンデンサのアレイを含み、
前記第２受動回路は、レジスタを含む、請求項１に記載の植込み型医療装置。
【請求項３】
前記第１または第２の受動回路のうちの少なくとも１つは、直列構成の少なくとも２つのコンデンサのアレイを含む、請求項１または２に記載の植込み型医療装置。
【請求項４】
前記第１または第２の受動回路のうちの少なくとも１つは、並列構成の少なくとも２つのコンデンサのアレイを含む、請求項１から３のいずれか１項に記載の植込み型医療装置。
【請求項５】
前記第１または第２の受動回路の１以上に含まれている第１コンデンサは、集積回路基板の単結晶領域に誘電体を有するコンデンサ誘電体を含む、請求項１から４のいずれか１項に記載の植込み型医療装置。
【請求項６】
前記第１または第２の受動回路の１以上に含まれている第２コンデンサは、集積回路のポリシリコン領域間に配置されるコンデンサ誘電体を含む、請求項５に記載の植込み型医療装置。
【請求項７】
前記能動回路は、前記第１電源ノードを前記第２電源ノードに結合するように構成されているシャント電界効果トランジスタ（ＦＥＴ）を含む、請求項１から６のいずれか１項に記載の植込み型医療装置。
【請求項８】
前記能動回路は、前記シャントＦＥＴのゲートに結合されている駆動回路を含み、
前記制御入力は、前記駆動回路の入力を有する、請求項７の植込み型医療装置。
【請求項９】
前記駆動回路は、相補型トランジスタペアを含む、請求項８に記載の植込み型医療装置。
【請求項１０】
前記第１電源ノードは、第１ＤＣ供給電圧を含み、
前記第２電源ノードは、第２ＤＣ供給電圧を含み、
前記第１ＤＣ供給電圧は、前記第２ＤＣ供給電圧に対して極性が正である、請求項１から９のいずれか１項に記載の植込み型医療装置。
【請求項１１】
前記第２電源ノードは、基準ノードを有する、請求項１０に記載の植込み型医療装置。
【請求項１２】
前記植込み型医療装置は、導電性ハウジングを備え、
前記基準ノードは、前記ハウジングに電気結合されている、請求項１１に記載の植込み型医療装置。
【請求項１３】
前記植込み型医療装置は、前記ハウジングに結合されている誘電体部を備え、
前記誘電体部は、前記誘電体部上またはその内部に電極を含み、
前記集積回路は、ボンドパッドを含み、
前記電極は、前記ボンドパッドに電気結合され、
前記集積回路は、前記ボンドパッドと少なくとも１つの電源ノードとの間に少なくとも１つのＥＳＤクランプ回路を含む、請求項１２に記載の植込み型医療装置。
【請求項１４】
前記第１受動回路は、直列および並列構成のコンデンサのアレイを含み、
前記第２受動回路は、レジスタを含み、
前記第１または第２の受動回路の１以上は、少なくとも第１および第２のコンデンサを含み、
前記第１コンデンサは、集積回路基板の単結晶領域に誘電体を有するコンデンサ誘電体を含み、
前記第２コンデンサは、集積回路のポリシリコン領域間に配置されるコンデンサ誘電体を含む、請求項１に記載の植込み型医療装置。
【請求項１５】
植込み型医療装置で静電気放電（ＥＳＤ）保護を提供する方法であって、
ハウジングを形成すること、
前記ハウジング内に集積回路を形成することを備え、
前記集積回路は、静電気放電（ＥＳＤ）保護回路を含み、
前記集積回路を形成することは、
制御入力を介して受信した制御信号に応答して、第１電源ノードを第２電源ノードに選択的に電気結合するように構成されている能動回路を形成すること、
前記第１電源ノードと前記能動回路の前記制御入力との間で電気結合する第１受動回路
を形成すること、
前記第２電源ノードと前記能動回路の前記制御入力との間で電気結合する第２受動回路を形成することを含み、
前記第１受動回路を形成すること、および前記第２受動回路を形成することのうちの少なくとも１つは、直列構成、並列構成、または直列および並列構成の組合せでコンデンサのアレイを形成することを含み、
前記第１および第２の受動回路は、特定の時定数を規定するように構成され、
前記第１および第２の受動回路は、印加されるＥＳＤに応答して前記規定の時定数を使用して前記制御信号を前記制御入力に供給するように構成され、
前記能動回路は、前記制御信号に応答して実質的に非導通モードから実質的に導通モードに切り替えて、前記第１および第２の電源ノード間に印加されるＥＳＤの分路を提供するように構成されている、方法。
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
血液性状を測定するために、外部ホストデバイスのデジタルセンサー、ＣＰＵおよびディスプレイとの使用のために構成された装置であって、該装置は、
端壁、側壁およびカバーを有するハウジング、および
光をチャンバ−内で軸方向に付属肢の先端に向けるように端壁に取り付けられた光源、
を含み、
該ハウジングが、該ハウジングとホストデバイスとの間にチャンバーを定義するようにホストデバイスへの取り外し可能な取り付けのために構成され、該チャンバーが、デジタルセンサーを実質的に囲み、該チャンバー内に、生物の付属肢の少なくとも一部分が入れられて、前記付属肢の先端が、デジタルセンサーを覆うようにデジタルセンサーに隣接して配置され、および光源からの光が、前記付属肢の先端に向けられ、ここで、前記光源からの少なくとも幾らかの光が、前記付属肢の組織によって反射されて、センサーによって受け取られ、それによって生成されたデータが、血液性状を測定するためにＣＰＵによって処理されることを特徴とする、装置。
【請求項２】
前記カバーが、前記ハウジングにヒンジで付けられ、その結果、前記カバーは、付属肢の少なくとも一部分がチャンバーに入ることによって、外側に回転し、ここで前記ハウジングが、側壁の少なくとも１つの底縁を含むことを特徴とする、請求項１に記載の装置。
【請求項３】
前記ハウジングが、携帯電話、デジタルカメラ、コンピューターに接続されたウェブカメラ、一体型のウェブカメラを有するコンピューターの少なくとも幾つかの上で交換可能に配置できるように構成されることを特徴とする、請求項１に記載の装置。
【請求項４】
前記光源が、前記ハウジングにおいて構成された、パワーが供給された光源であることを特徴とする、請求項１に記載の装置。
【請求項５】
前記光源が、ホストデバイス、内蔵電池および光電池の少なくとも１つによってパワーが供給されることを特徴とする、請求項４に記載の装置。
【請求項６】
ホストデバイスの、デジタルセンサー、ＣＰＵおよびディスプレイと協働して作動する装置を使用して血液性状を測定するための方法であって、該方法は、
（ａ）ＣＰＵに血液性状の分析のためのプログラムを提供する工程；
（ｂ）端壁、側壁およびカバーを備えるハウジングを有し、ホストデバイスへの取り外し可能な取り付けのために構成された装置を提供する工程；
（ｃ）端壁に取り付けられ、光をチャンバ−内で軸方向に生物の付属肢の先端に向けるように構成された光源を提供する工程；
（ｄ）前記ホストデバイスと前記ハウジングとの間にチャンバーを定義するように前記ハウジングを前記ホストデバイスと連結させる工程であって、前記チャンバー内に、生物の付属肢の少なくとも一部分が入れられ、前記チャンバーが、デジタルセンサーを実質的に囲む工程；
（ｅ）前記付属肢の少なくとも一部分を前記チャンバーに入れる工程であって、前記付属肢の先端が、デジタルセンサーを覆うようにデジタルセンサーに隣接して配置される工程；
（ｆ）前記光源からの光を軸方向に前記付属肢の先端に向ける工程であって、前記光源からの少なくとも幾らかの光が、前記付属肢の組織と相互作用する工程；
（ｇ）前記組織が相互作用した前記光源からの前記光の少なくとも幾らかをデジタルセンサーによって受け取る工程；および
（ｈ）血液性状を測定するために、ＣＰＵを使用して、デジタルセンサーによって生成されたデータを分析する工程、を含むことを特徴とする、方法。
【請求項７】
前記光源から光を放出する工程をさらに含み、前記光源が、パワーが供給された光源であることを特徴とする、請求項６に記載の方法。
【請求項８】
ホストデバイス、内蔵電池および光電池の少なくとも１つから前記光源にパワーを提供する工程をさらに含むことを特徴とする、請求項７に記載の方法。
【請求項９】
前記受け取る工程は、前記デジタルセンサーが、付属肢の先端からの毛細管組織と相互作用する前記光源からの前記光によって獲得した、時空間的な色の画素情報の画像を生成するように実施され、前記時空間的な色の画素情報が、生化学的パラメーターおよび血行動態パラメーターを計算するために使用されることを特徴とする、請求項６に記載の方法。
【請求項１０】
ホストデバイスのディスプレイユニット上に前記分析の結果を表示する工程をさらに含むことを特徴とする、請求項６に記載の方法。
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
簡易寝台において、
前記簡易寝台の前端と前記簡易寝台の後端の間を延びている支持フレームと、
各々が前記支持フレームへ滑動式に連結されている前脚及び後脚と、
前記前脚へ連結されている前アクチュエータであって、前記前脚を前記支持フレームに沿って滑動させて当該前脚を格納及び伸展させる前アクチュエータと、
前記後脚へ連結されている後アクチュエータであって、前記後脚を前記支持フレームに沿って滑動させて当該後脚を格納及び伸展させる後アクチュエータと、
前記前アクチュエータ及び前記後アクチュエータへ通信可能に連結されている１つ又はそれ以上のプロセッサであって、当該１つ又はそれ以上のプロセッサは、
１つ又はそれ以上のセンサからの前記簡易寝台の前記前端及び前記前脚の位置を指示する信号を受信するように機械可読命令を実行し、及び、
前記簡易寝台の前記前端が表面によって支持されていて前記前脚が所定量だけ格納されているとき、前記後アクチュエータを作動させて前記後脚を伸展させ前記簡易寝台の前記後端を上昇させるように機械可読命令を実行し、ここに、前記１つ又はそれ以上のセンサは、当該１つ又はそれ以上のプロセッサへ通信可能に連結されている前アクチュエータセンサであって、前記前アクチュエータへ掛かっている力を測定し前記前アクチュエータへ掛かっている前記力に相関付けられる前アクチュエータ力信号を通信する前アクチュエータセンサ、を備え、
前記１つ又はそれ以上のセンサは、当該１つ又はそれ以上のプロセッサへ通信可能に連結されている後アクチュエータセンサであって、前記後アクチュエータへ掛かっている力を測定し前記後アクチュエータへ掛かっている前記力に相関付けられる後アクチュエータ力信号を通信する後アクチュエータセンサ、を更に備えており、当該１つ又はそれ以上のプロセッサは、前記前アクチュエータ力信号が引張を指示しているかどうか及び前記後アクチュエータ力信号が圧縮を指示しているかどうかを確定するように機械可読命令を実行し、前記前アクチュエータ力信号が前記前アクチュエータは引張下にあることを指示し前記後アクチュエータ力信号が前記後アクチュエータは圧縮下にあることを指示しているとき、前記後脚が自動的に伸展されて前記支持フレームは自動的に実質的水平向きに維持されることになる、１つ又はそれ以上のプロセッサと、
を備えている簡易寝台。
【請求項２】
前記１つ又はそれ以上のセンサは、前記前脚と前記支持フレームの間の前角度を測定し前記前角度に相関付けられるようにして前角度信号を前記１つ又はそれ以上のプロセッサへ通信する前角度センサを備えており、前記１つ又はそれ以上のプロセッサは、前記前脚が前記所定量だけ格納されているかどうかを少なくとも一部には前記前角度に基づいて確定するように機械可読命令を実行する、請求項１に記載の簡易寝台。
【請求項３】
前記前角度センサは、ポテンショメータ回転センサ又はホール効果回転センサである、請求項２に記載の簡易寝台。
【請求項４】
前記１つ又はそれ以上のセンサは、前記後脚と前記支持フレームの間の後角度を測定し後角度信号を前記１つ又はそれ以上のプロセッサへ通信する後角度センサを備えており、前記後角度信号は前記後角度に相関付けられている、請求項２に記載の簡易寝台。
【請求項５】
前記後角度センサは、ポテンショメータ回転センサ又はホール効果回転センサである、請求項４に記載の簡易寝台。
【請求項６】
前記１つ又はそれ以上のプロセッサは、前記後角度と前記前角度の間の差を少なくとも一部には前記前角度信号及び前記後角度信号に基づいて確定するように機械可読命令を実行する、請求項４に記載の簡易寝台。
【請求項７】
前記１つ又はそれ以上のプロセッサは、前記後角度と前記前角度の間の前記差を所定の角度デルタに比較するように機械可読命令を実行し、前記後角度と前記前角度の間の前記差が前記所定の角度デルタより大きいか又はそれに等しいとき、前記後脚が自動的に伸展される、請求項６に記載の簡易寝台。
【請求項８】
前記１つ又はそれ以上のセンサは、前記前脚、前記後脚、又はその両方の、前記支持フレームに対する位置を指示する距離を測定し距離信号を前記１つ又はそれ以上のプロセッサへ通信する距離センサを備えており、前記距離信号は前記距離に相関付けられている、請求項１に記載の簡易寝台。
【請求項９】
前記１つ又はそれ以上のセンサは、前記簡易寝台の前記前端の、前記表面に対する位置を指示する距離を測定し距離信号を前記１つ又はそれ以上のプロセッサへ通信する距離センサを備えており、前記距離信号は前記距離に相関付けられている、請求項１に記載の簡易寝台。
【請求項１０】
前記距離センサは、前記支持フレーム又は前記後アクチュエータへ連結されている、請求項９に記載の簡易寝台。
【請求項１１】
前記距離センサは、超音波センサ、タッチセンサ、又は近接センサである、請求項９に記載の簡易寝台。
【請求項１２】
前記１つ又はそれ以上のプロセッサは、前記後脚の、前記簡易寝台の前記後端に対する位置が、前記後アクチュエータが作動された後の所定の時間量に亘って変化し損ねていれば、前記後アクチュエータの作動を中断するように機械可読命令を実行する、請求項１に記載の簡易寝台。
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
放射線ランプと、
放射線を照射するための開口を持つハウジングと、
前記開口の外周を囲む可撓性シュラウドであって、目標表面と接触する場合に変形し、前記開口の周りにシールを作る表面を含む、シュラウドと、
前記シールの状態を感知し、前記シールが完全である場合に前記放射線ランプを使用可能にする感知回路と、
を有する殺菌装置において、
前記シュラウドが、内部に導電性表面及びエラストマ材料を含み、前記感知回路が、接点を含み、前記エラストマ材料が変形される場合に、前記導電性表面と前記接点との間に電気的接触が作られ、前記シールが完全であることを前記感知回路に感知させる、
殺菌装置。
【請求項２】
ユーザにより作動される場合に、前記シールが完全である場合に前記感知回路によって前記放射線ランプを使用可能にするトリガ又はスイッチを有する、請求項１に記載の装置。
【請求項３】
前記感知回路が、前記シールの周りの複数の部分のシール状態をモニタし、前記装置が、前記複数の部分の前記シール状態を示すインタフェースを有する、請求項１に記載の装置。
【請求項４】
前記ハウジングが、前記放射線ランプを囲み、前記シュラウドが配置される端部を持つ、請求項１に記載の装置。
【請求項５】
前記シールの状態を表示するように前記ハウジングと一体化されたディスプレイを有する、請求項４に記載の装置。
【請求項６】
前記放射線ランプが、紫外線ランプを含む、請求項１に記載の装置。
【請求項７】
前記シュラウドは、前記目標表面に接触する場合に放射線が漏れることを防ぐバリアを提供するように環形状を含む、請求項１に記載の装置。
【請求項８】
開口を持つハウジングと、
前記ハウジング内に配置され、前記開口を通って放射線を照射する放射線ランプと、
前記ハウジングの遠位端部に配置され、前記開口の外周を囲み、目標表面に接触する場合に変形し、前記開口の周りにシールを作る表面を含む可撓性シュラウドと、
前記シールの状態を感知し、前記シールが完全である場合に前記放射線ランプを使用可能にする感知回路と、
前記ハウジング内に形成され、完全なシールを確立するようにユーザにフィードバックを提供するユーザインタフェースと、
を有する殺菌装置において、
前記シュラウドが、内部に導電性表面を含み、前記感知回路が、接点を含み、前記導電性表面が変形される場合に、前記導電性表面と前記接点との間に電気的接触が作られ、前記シールが完全であることを前記感知回路に感知させる、
殺菌装置。
【請求項９】
前記ハウジング内に形成されたハンドルを有し、ユーザにより作動される場合に、前記シールが完全である場合に前記感知回路によって前記放射線ランプを使用可能にするトリガ又はスイッチを含む、請求項８に記載の装置。
【請求項１０】
前記感知回路が、前記シールの周りの複数の部分のシール状態をモニタし、前記ユーザインタフェースが、前記複数の部分の前記シール状態を示す、請求項８に記載の装置。
【請求項１１】
前記ユーザインタフェースが、前記シールの状態を表示する、前記ハウジングと一体化されたディスプレイを含む、請求項８に記載の装置。
【請求項１２】
前記放射線ランプが、紫外線ランプを含む、請求項８に記載の装置。
【請求項１３】
前記シュラウドは、前記目標表面に接触する場合に放射線が漏れることを防ぐバリアを提供するように環形状を含む、請求項８に記載の装置。
【請求項１４】
目標表面を殺菌する方法において、
放射線を照射する開口を持つハウジング内の放射線ランプ、前記開口の外周を囲み、目標表面とシールを形成するように変形する表面を含み、内部に導電性表面を持つ可撓性シュラウド、及び前記シュラウドに対するシールの状態を感知し、接点を含む感知回路を提供するステップと、
処理されるべき前記目標表面に対して前記シュラウドを接触させるステップと、
前記シュラウドを変形するように圧力を印加するステップと、
前記シュラウドが前記目標表面上の圧力の量を用いて完全なシールを形成し、前記導電性表面と前記接点との間に電気的接触を作らせる場合に、前記放射線ランプを作動するステップと、
を有する方法。
【請求項１５】
前記シールの周りの複数の部分のシール状態をモニタするステップと、ユーザインタフェース上で前記複数の部分の前記シール状態を示すステップとを有する、請求項１４に記載の方法。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
入口ポート、及び蒸気センサカードを受容するようになっている外側スロットを含む外側ハウジングと、
前記外側ハウジング内に少なくとも部分的に配置された駆動回路と、
前記外側ハウジング内に少なくとも部分的に配置されたセンサホルダと、を含み、前記センサホルダは、
内側ハウジングであって、
前記入口ポートの下流と流体連通し、気体入口及び気体出口を有する気体吸入チャンバ、並びに、
前記蒸気センサカードと係合するようになっているセンサカードソケットを保持し、前記気体吸入チャンバを通じて前記気体入口と流体連通している内側スロットを含む、内側ハウジングと、
前記駆動回路と電気的に導通し、前記センサカードソケットと熱的に導通している、電気加熱要素と、
前記入口ポートからの気体を前記気体出口へと方向付けるように配置されたファンと、
前記気体出口の少なくとも一部と隣接し、前記気体出口の少なくとも一部を横切って延びる乱流誘発部材と、を含む携帯用装置であって、
前記センサカードソケットは、蒸気センサカードと係合し、前記蒸気センサカードは、
相対する第１主要表面及び第２主要表面を有するセンサハウジングと、
前記センサハウジング内に部分的に配置された静電容量センサ要素であり、前記静電容量センサ要素及び前記センサハウジングが共に前記センサハウジングの前記第１主要表面に沿って長手方向チャネルを画定し、前記静電容量センサ要素は、
支持部材上に配置された導電性ベース電極、
前記長手方向チャネルの底面の一部を含み前記蒸気センサカードの外側表面の少なくとも一部を含む導電性多孔性電極、及び、
前記導電性ベース電極と前記導電性多孔性電極との間に配置された吸着材料を含む誘電体検出層を含む、静電容量センサ要素と、
前記導電性ベース電極と電気的に導通し、前記センサハウジングの外側に延びる第１導電性経路と、
前記導電性ベース電極と電気的に導通し、前記センサハウジングの外側に延びる第２導電性経路と、を含み、
前記静電容量センサ要素は、前記気体入口の下流と流体連通している、携帯用装置。
【請求項２】
蒸気センサカードであって、
相対する第１主要表面及び第２主要表面を有するセンサハウジングであり、上方ハウジング部材および下方ハウジング部材を含む、センサハウジングと、
前記上方ハウジング部材と前記下方ハウジング部材の間に配置された静電容量センサ要素であり、前記静電容量センサ要素は前記第１主要表面に当接する長手方向チャネルを有し、前記長手方向チャネルは底面を有し、前記静電容量センサ要素は前記底面の少なくとも一部を形成し、前記静電容量センサ要素は、
支持部材上に配置された導電性ベース電極、
前記長手方向チャネルの底面の一部を含み前記蒸気センサカードの外側表面の少なくとも一部を含む、導電性多孔性電極、及び、
前記導電性ベース電極と前記導電性多孔性電極との間に配置された吸着材料を含む誘電体検出層を含む静電容量センサ要素と、
前記導電性ベース電極と電気的に導通し、前記センサハウジングの外側に延びる第１導電性経路と、
前記導電性ベース電極と電気的に導通し、前記センサハウジングの外側に延びる第２導電性経路と、を含む、蒸気センサカード。
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
照明制御システムによって、前記照明制御システムの動作のために、及び／又は前記照明制御システムの分析のために用いられるデータが、収集され記憶されることが可能である空間における個人のプライバシーを保護する方法であって、
個人が前記データの分析に関する様々なプライバシー設定を選択できるメニュを当該個人に表示し、前記プライバシー設定は、前記照明制御システムが、収集され記憶された前記データを個人に関連付けることを許可すること又は許可しないことを含むステップと、
個人によってなされた１つ以上の選択を記録するステップと、
記録された選択に従って、前記データを収集するステップと、
を含む、方法。
【請求項２】
前記照明制御システムは、ハイブリッド統合照明及び日光制御システムであり、前記データは、個人の作業空間に関連する、請求項１に記載の方法。
【請求項３】
前記収集するステップは、デバイスから情報を取得するステップを含み、前記デバイスは、カメラ、光源、センサ、調光安定器、ユーザインターフェース、電動ブラインド及びこれらの組み合わせからなる、請求項１に記載の方法。
【請求項４】
前記センサは、占有状態センサ、動き検出器、光センサ、熱センサ、温度センサ、湿度センサ及びこれらの組み合わせからなる群から選択される、請求項３に記載の方法。
【請求項５】
前記記録された選択に従って、任意の収集されたデータをレポートするステップを更に含む、請求項１に記載の方法。
【請求項６】
前記プライバシー設定は、「オプトアウト」オプションを含み、これにより、１つ以上のデータ要素カテゴリに対して、個人の作業空間に関連付けられているデータが収集されない、当該１つ以上のデータ要素カテゴリを当該個人が指定できる、請求項２に記載の方法。
【請求項７】
前記プライバシー設定は、「非特定化を選択」オプションを含み、これにより、１つ以上のデータ要素カテゴリに対して、個人の作業空間に関連付けられているデータは収集されることは許可されているが、収集されたデータは個人の作業空間にはリンクできない、当該１つ以上のデータ要素カテゴリを当該個人が指定できる、請求項２に記載の方法。
【請求項８】
前記プライバシー設定は、「制限使用を選択」オプションを含み、これにより、個人の作業空間に関連付けられている前記収集されたデータの使用が許可される目的を当該個人が制限できる、請求項２に記載の方法。
【請求項９】
前記プライバシー設定は、「オプトイン」オプションを含み、これにより、１つ以上のデータ要素カテゴリに対して、個人の作業空間に関連付けられているデータの収集が許可される、当該１つ以上のデータ要素カテゴリを当該個人が指定できる、請求項２に記載の方法。
【請求項１０】
個人の選好に従って、ネットワーク照明制御システム（ＮＬＣＳ）によってデータが収集され記憶されることが可能である領域における個人のプライバシーを保護する方法であって、
個人が前記ネットワーク照明制御システムにログインしたときに、個人のプライバシー設定を、個人のブラウザ設定から自動的にアップロードし、前記プライバシー設定は、前記照明制御システムが、収集され記憶された前記データを個人に関連付けることを許可すること又は許可しないことを含むステップと、
前記プライバシー設定を記録するステップと、
前記プライバシー設定に従って、前記データを収集するステップと、
を含む、方法。
【請求項１１】
照明制御システムによってデータが収集され、記憶されることが可能である領域における個人のプライバシーの保護を提供する照明制御システムであって、
前記領域に関連するデータを取得可能な複数のデバイスと、
前記データをコンピュータに通信するネットワークと、
個人が前記データの収集に関連する様々なプライバシー設定を選択できるメニュを当該個人に提供し、前記プライバシー設定を前記コンピュータに送信し、前記プライバシー設定は、前記照明制御システムが、収集され記憶された前記データを個人に関連付けることを許可すること又は許可しないことを含む手段と、
前記コンピュータに関連付けられたデータベースと、
を含み、
前記データは、前記プライバシー選択に従って収集される、システム。
【請求項１２】
前記複数のデバイスは、カメラ、光源、センサ、調光安定器、ユーザインターフェース、電動ブラインド及びこれらの組み合わせからなる、請求項１１に記載のシステム。
【請求項１３】
前記センサは、占有状態センサ、動き検出器、光センサ、熱センサ、温度センサ、湿度センサ及びこれらの組み合わせからなる群から選択される、請求項１２に記載のシステム。
【請求項１４】
前記提供する手段は、専用又は汎用処理システム、デスクトップコンピュータ、ラップトップコンピュータ、パームコンピュータ、携帯情報端末（ＰＤＡ）、スマートホン及びこれらの組み合わせからなる群から選択される、請求項１１に記載のシステム。
【請求項１５】
請求項１に記載の方法を少なくとも１つの処理ユニットに実行させる命令が格納されている、コンピュータ可読の非一時的媒体。
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
自動車用照明装置のための光ガイド部材（１０，７０，８０，９０，１００）であって、光を入力結合するための光入射面（１４）と、光射出面（１６）を通して前記光ガイド部材（１０，７０，８０，９０，１００）から光を出力結合するための光射出面（１６）との間に延びる光ガイド区域（１２）を有しており、
前記光射出面（１６）は射出面長手方向（２２）に沿って長尺状に延びる面として構成されており、
前記光ガイド区域（１２）は前記光入射面（１４）から前記光射出面（１６）に向かう方向に延びる少なくとも第１の側面および第２の側面（３４，３６）を有しており、それにより光を内部全反射のもとで前記光入射面（１４）から前記光射出面（１６）へとガイドすることができるようになっている前記光ガイド部材において、
前記光入射面（１４）は前記光射出面（１６）に対して形状に関して相違しており、
前記光ガイド区域（１２）は前記光入射面（１４）を直接的に起点として前記光射出面（１６）に向かう方向に延びる屋根区域（３２）を有しており、該屋根区域では前記第１の側面（３４）と前記第２の側面（３６）が射出面長手方向（２２）に対して斜めに傾いて互いに近づくように延びるとともに、前記光入射面（１４）から前記光射出面（１６）へと向かう方向に延びる前記光ガイド区域（１２）の屋根状の背面を形成していることを特徴とする光ガイド部材（１０，７０，８０，９０，１００）。
【請求項２】
前記光ガイド区域（１２）は、前記光入射面（１４）から前記光射出面（１６）に向かう方向に延び、前記屋根区域（３２）の前記側面（３４，３６）のうちの一方に沿って直接的に接するように延びる少なくとも１つの別の光ガイド面（４２）によって区切られており、前記光ガイド面（４２）は射出面長手方向（２２）と平行に延びるように構成されていることを特徴とする、請求項１に記載の光ガイド部材（１０，７０，８０，９０，１００）。
【請求項３】
前記光ガイド区域（１２）は前記屋根区域（３２）の前記側面（３４，３６）が互いに近づくように延びる方向で屋根隅棟面（３８）により区切られており、前記屋根隅棟面（３８）は前記第１の側面（３４）と前記第２の側面（３６）との間でそれぞれこれらに直接的に接するように延びるとともに、前記光射出面（１６）と平行な断面で見て前記光ガイド区域（１２）が射出面長手方向（２２）に対して垂直に延びる仕切エッジ（３０）を有するように構成されていることを特徴とする、請求項１又は請求項２に記載の光ガイド部材（１０，７０，８０，９０，１００）。
【請求項４】
前記屋根隅棟面（３８）は、前記光入射面（１４）から前記光射出面（１６）へと延びる方向に対して垂直方向に、前記光入射面（１４）から前記光射出面（１６）へと至る前記屋根隅棟面（３８）の過程で増加していく横方向長さを有していることを特徴とする、請求項３に記載の光ガイド部材（１０，７０，８０，９０，１００）。
【請求項５】
前記屋根隅棟面（３８）は、前記光入射面（１４）を起点として前記光射出面（１６）に向かう方向で、前記第１の側面（３４）と前記第２の側面（３６）が合流する方向に湾曲していることを特徴とする、請求項３又は請求項４に記載の光ガイド部材。
【請求項６】
前記屋根区域（３２）の前記第１の側面（３４）は鋭角の第１の設定角度（α１）、前記第２の側面は鋭角の第２の設定角度（α２）をそれぞれ射出面長手方向（２２）に対して有しており、前記第１の設定角度（α１）は数値的に前記第２の設定角度（α２）と相違していることを特徴とする、請求項１〜請求項５のうちいずれか１項に記載の光ガイド部材（８０）。
【請求項７】
前記光ガイド区域（１２）は、前記屋根区域（３２）と反対向きの方向で、前記光入射面（１４）と前記光射出面（１６）の間で平面状に延びる屋根対応平面（４０）により区切られることを特徴とする、請求項１〜請求項６のうちいずれか１項に記載の光ガイド部材（１０，７０，８０，９０）。
【請求項８】
前記光射出面（１４）は射出面長手方向（２２）の長手方向長さと射出面長手方向（２２）に対して垂直方向の横方向長さとを有しており、前記長手方向長さは前記横方向長さよりも大きくなっており、特に前記横方向長さの２倍よりも大きいか、もしくは２倍に等しい大きさであることを特徴とする、請求項１〜請求項７のうちいずれか１項に記載の光ガイド部材（１０，７０，８０，９０，１００）。
【請求項９】
自動車ヘッドライトのための光モジュール（１２０）であって、
光を放射するための半導体光源のマトリクス状の構造を有しており、
光入射面（１４）と光射出面（１６）をそれぞれ有するマトリクス状に配置された光ガイド部材（１１２）を備えた一次光学系（１１０）を有しており、
それぞれ１つの光入射面（１４）が１つの半導体光源に付属しており、前記光ガイド部材の前記光射出面（１６）はマトリクス状に配置されるとともに一次光学系射出面（１１４）を形成しており、
および、前記光モジュールの作動時に前記一次光学系（１１４）で生じる光分布を希望される放射光分布の生成のためにヘッドライトないし光モジュールの手前に位置する前方区域へ結像するようにセットアップされた二次光学系（１２２）を有している、そのような光モジュールにおいて、
前記光ガイド部材（１１２）は請求項１〜請求項８のいずれか１項に基づいて構成されていることを特徴とする光モジュール（１２０）。
【請求項１０】
前記半導体光源は光を放射するための光放射面（７５）を有しており、前記光放射面（７５）は形状に関して付属の前記光入射面（１４）と相違していることを特徴とする、請求項９に記載の光モジュール（１２０）。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
ガスタービン燃焼器用の燃焼器キャップアセンブリ（６２）におけるバーナーチューブ（６６）のための支持構造体であって、
外側環状リング（４４）と、
内側環状ハブ（４６）と、
前記外側環状リング（４４）と前記内側環状ハブ（４６）との間で径方向に延びる複数の支柱（４８）と、
を備え、
前記複数の支柱（４８）の各々の一端は前記内側環状ハブ（４６）の外面に直接取り付けられ、
前記内側環状ハブ（４６）の内面は、前記バーナーチューブ（６６）を受けるように構成され、
前記内側環状ハブ（４６）の前記内面に、環状のピストンリング溝（５４）が形成され、
前記ピストンリング溝（５４）内にピストンリング（６０）がシールされており、該ピストンリング（６０）が、前記バーナーチューブ（６６）の内端部を受けてシールするようになっており、
前記ピストンリング（６０）が、径方向で前記内側環状ハブ（４６）と前記バーナーチューブ（６６）の間に設けられ、
前記バーナーチューブ（６６）が、燃料ノズルの径方向外側に配置され、前記燃料ノズルを囲む、支持構造体。
【請求項２】
前記内側環状ハブ（４６）の前端部（５０）および後端部（５２）にテーパ部が形成され、該テーパ部が、前記内側環状ハブ（４６）の中心に向かって先細りになっている請求項１に記載の支持構造体。
【請求項３】
前記ピストンリング溝（５４）は、前記両側の前端部（５０）と前記後端部（５２）との間に軸方向で形成される請求項２に記載の支持構造体。
【請求項４】
噴出プレート（５８）と組み合わせて、前記噴出プレート（５８）は、前面テーパ縁部（５６）によって画定される円形開口を有し、前記内側環状ハブ（４６）の前記後端部（５２）が前記噴出プレート（５８）の前記前面テーパ縁部（５６）に溶接される請求項２に記載の支持構造体。
【請求項５】
前記複数の支柱（４８）が５つの支柱（４８）を成し、前記バーナーチューブ（６６）が中心ノズルバーナーチューブ（６６）を成す請求項１に記載の支持構造体。
【請求項６】
前記噴出プレート（５８）の前記円形開口が前記噴出プレート（５８）の中心部に形成され、前記噴出プレート（５８）内の複数の開口が前記円形開口を取り囲み、
前記複数の開口のそれぞれには、周辺バーナーチューブを受けるようになっている直立リング支持体（６１）が形成され、前記直立リング支持体（６１）のそれぞれは、前記周辺バーナーチューブと係合するようになっているピストンリングと嵌合される内側ピストンリング溝を有する請求項４に記載の支持構造体。
【請求項７】
燃焼器キャップアセンブリ（６２）であって、
中心ノズル（６４）および中心バーナーチューブ（６６）を含めて複数の燃料ノズルおよび周囲バーナーチューブを支持するためにその前端および後端に前記燃焼器キャップアセンブリ（６２）の支持構造体を備え、
前記後端の前記支持構造体は、前記前端と対向するスリーブによって部分的に画定される円形の開口を有する噴出プレート（５８）と、外側環状リング（４４）と内側環状ハブ（４６）とを有するワゴンホイール構造体（４２）とを含み、
前記外側環状リング（４４）と前記内側環状ハブ（４６）との間で径方向に延びる複数の支柱（４８）を備え、
前記複数の支柱（４８）が前記内側環状ハブ（４６）に直接取り付けられ、
前記内側環状ハブ（４６）の径方向内側の面にピストンリング溝（５４）が形成され、
前記ピストンリング溝（５４）内にピストンリング（６０）がシールされており、該ピストンリング（６０）が、前記バーナーチューブ（６６）の内端部を受けてシールするようになっている、
燃焼器キャップアセンブリ（６２）。
【請求項８】
燃焼器キャップアセンブリ（６２）であって、
中心ノズル（６４）および中心バーナーチューブ（６６）を含めて複数の燃料ノズルおよび周囲バーナーチューブを支持するためにその前端および後端に前記燃焼器キャップアセンブリ（６２）の支持構造体を備え、
前記後端の前記支持構造体は、前記前端と対向するスリーブによって部分的に画定される円形の開口を有する噴出プレート（５８）と、外側環状リング（４４）と内側環状ハブ（４６）とを有するワゴンホイール構造体（４２）とを含み、
前記外側環状リング（４４）と前記内側環状ハブ（４６）との間で径方向に延びる複数の支柱（４８）を備え、
前記内側環状ハブ（４６）の径方向内側の面にピストンリング溝（５４）が形成され、
前記ピストンリング溝（５４）内にピストンリング（６０）がシールされており、該ピストンリング（６０）が、前記バーナーチューブ（６６）の内端部を受けてシールするようになっており、
前記ピストンリング（６０）が、径方向で前記内側環状ハブ（４６）と前記バーナーチューブ（６６）の間に設けられ、
前記円形の開口が、前記スリーブの前面テーパ縁部（５６）によって画定される円形開口を有し、
前記内側環状ハブ（４６）の前記後端部（５２）が前記前面テーパ縁部（５６）に取り付けられる、
燃焼器キャップアセンブリ（６２）。
【請求項９】
前記内側環状ハブ（４６）の前端部（５０）および後端部（５２）にテーパ縁部が形成され、該テーパ部が、前記内側環状ハブ（４６）の中心に向かって先細りになっている請求項７または８に記載の燃焼器キャップアセンブリ（６２）。
【請求項１０】
前記ピストンリング溝（５４）は、前記両側の前端部（５０）と前記後端部（５２）との間に軸方向で形成される請求項９に記載の燃焼器キャップアセンブリ（６２）。
【請求項１１】
前記噴出プレート（５８）の前記円形の開口は、前面テーパ縁部（５６）によって画定され、前記内側環状ハブ（４６）の前記後端部（５２）が前記噴出プレート（５８）の前記前面テーパ縁部（５６）に溶接される請求項７乃至１０のいずれかに記載の燃焼器キャップアセンブリ（６２）。
【請求項１２】
前記複数の支柱（４８）が５つの支柱（４８）を成し、前記バーナーチューブ（６６）が中心ノズルバーナーチューブ（６６）を成す請求項７乃至１１のいずれかに記載の燃焼器キャップアセンブリ（６２）。
【請求項１３】
前記噴出プレート（５８）の前記円形開口が前記噴出プレート（５８）の中心部に形成され、複数の開口が前記円形開口を取り囲む請求項１１に記載の燃焼器キャップアセンブリ（６２）。
【請求項１４】
前記バーナーチューブ（６６）の内端部が拘束されず、それにより、軸方向で熱成長が許容される請求項７乃至１３のいずれかに記載の燃焼器キャップアセンブリ（６２）。